(57)【特許請求の範囲】
【請求項１】
動画送信部と、予想情報開示部を備え、
前記動画送信部は、競技に関する動画を、前記動画を再生するユーザ端末に送信し、
前記予想情報開示部は、前記ユーザ端末において前記動画が再生された再生時間に応じて、前記動画に関連付けられた前記競技の結果に対する予想についての情報を含む予想情報を前記ユーザ端末に開示する、情報処理装置。
【請求項２】
請求項１に記載の情報処理装置であって、
前記予想情報開示部は、前記再生時間が第１所定時間以上である場合に、前記予想情報として第１予想情報を前記ユーザ端末に開示する、情報処理装置。
【請求項３】
請求項２に記載の情報処理装置であって、
前記予想情報開示部は、前記再生時間が前記第１所定時間より長い第２所定時間以上である場合に、前記予想情報として前記第１予想情報に加えて第２予想情報を前記ユーザ端末に開示する、情報処理装置。
【請求項４】
請求項２または請求項３に記載の情報処理装置であって、
受付部をさらに備え、
前記受付部は、前記ユーザ端末から前記競技に対する投票を受け付け、
前記予想情報開示部は、前記投票の受け付け締め切り時刻までの残り時間が第１所定条件を満たす場合には、前記再生時間が前記第１所定時間よりも短い第３所定時間以上である場合に、前記予想情報として前記第１予想情報を前記ユーザ端末に開示する、情報処理装置。
【請求項５】
請求項２または請求項３に記載の情報処理装置であって、
受付部をさらに備え、
前記受付部は、前記ユーザ端末から前記競技に対する投票を受け付け、
前記予想情報開示部は、前記投票の受け付け締め切り時刻までの残り時間が第１所定条件を満たす場合には、前記再生時間が前記第１所定時間よりも短い第３所定時間以上である場合に、前記予想情報として第３予想情報を前記ユーザ端末に開示し、
前記第３予想情報の量は、前記第１予想情報の量より少ない、情報処理装置。
【請求項６】
請求項１から請求項３の何れか１項に記載の情報処理装置であって、
前記予想情報開示部は、
前記再生時間が第４所定時間以上である場合には、前記予想情報を前記ユーザ端末に開示し、
前記再生時間が前記第４所定時間未満であって、ユーザが第２所定条件を満たす場合には、前記予想情報を当該ユーザの使用する前記ユーザ端末に開示する、情報処理装置。
【請求項７】
請求項６に記載の情報処理装置であって、
受付部をさらに備え、前記ユーザ端末から前記競技に対する投票を受け付け、
前記第２所定条件を満たす場合とは、所定期間内に前記ユーザ端末から受け付けた前記投票の額が所定額以上である場合である、情報処理装置。
【請求項８】
請求項７に記載の情報処理装置であって、
前記第２所定条件を満たす場合とは、所定期間内に前記ユーザ端末で再生されている前記動画に関連付けられる前記予想情報に基づいた前記投票の額が所定額以上である場合である、情報処理装置。
【請求項９】
請求項１から請求項８の何れか１項に記載の情報処理装置であって、
前記予想情報開示部は、前記動画の前記再生時間のうち所定の競技に対応する再生時間に応じて、前記ユーザ端末に前記所定の競技ごとに関連付けられた前記予想情報を開示する、情報処理装置。
【請求項１０】
請求項１から請求項９の何れか１項に記載の情報処理装置であって、
前記予想情報開示部は、前記予想情報に予め定められた優先度に基づいて、前記予想情報を前記ユーザ端末に開示する、情報処理装置。
【請求項１１】
請求項１から請求項１０の何れか１項に記載の情報処理装置であって、
前記予想情報開示部は、前記ユーザ端末に開示されていない前記予想情報である未開示情報の量に応じて設定される対価の支払いを受け付けた場合に、前記未開示情報を前記ユーザ端末に開示する、情報処理装置。
【請求項１２】
請求項１から請求項１１の何れか１項に記載の情報処理装置であって、
表示制御部をさらに備え、
前記表示制御部は、前記競技に関連付けられた前記予想情報のうち、前記ユーザ端末に開示された前記予想情報の量と、前記ユーザ端末に開示されていない前記予想情報の量とを、ユーザに認識可能な態様で前記ユーザ端末に表示させる、情報処理装置。
【請求項１３】
動画送信工程と、予想情報開示工程を有する情報処理方法であって、
前記動画送信工程では、競技に関する動画を、前記動画を再生するユーザ端末にコンピュータが送信し、
前記予想情報開示工程では、前記ユーザ端末において前記動画が再生された再生時間に応じて、前記動画に関連付けられた前記競技の結果に対する予想についての情報を含む予想情報を前記ユーザ端末にコンピュータが開示する、情報処理方法。
【請求項１４】
動画送信部と、予想情報開示部としてコンピュータを機能させるための制御プログラムであり、
前記動画送信部は、競技に関する動画を、前記動画を再生するユーザ端末に送信し、
前記予想情報開示部は、前記ユーザ端末において前記動画が再生された再生時間に応じて、前記動画に関連付けられた前記競技の結果に対する予想についての情報を含む予想情報を前記ユーザ端末に開示する、制御プログラム。
【発明の詳細な説明】
【技術分野】
【０００１】
本発明は、情報処理装置、制御プログラムおよび情報処理方法に関する。
【背景技術】
【０００２】
近年、公営競技に関する情報を共有する情報処理装置が開発されている。例えば、特許文献１には、予想者の予想の的中情報に応じたアイテムの画像により、当該予想の信頼性を判断できる情報処理装置が開示されている。
【先行技術文献】
【特許文献】
【０００３】
【特許文献１】特開２０１０−１６０６１２号公報
【発明の概要】
【発明が解決しようとする課題】
【０００４】
ところで、公営競技に関わる動画をユーザ端末に送信する者としては、ユーザの動画への関心を高め、長時間視聴してもらいたいというニーズがある。しかし、ユーザは動画を視聴することによるインセンティブを得ることが困難であった。
【０００５】
本発明は、ユーザに長時間の動画視聴を行わせる情報処理装置、制御プログラムおよび情報処理方法を提供することを目的とする。
【課題を解決するための手段】
【０００６】
本発明によれば、動画送信部と、予想情報開示部を備え、動画送信部は、競技に関する動画を、動画を再生するユーザ端末に送信し、予想情報開示部は、ユーザ端末において動画が再生された再生時間に応じて、動画に関連付けられた競技の結果に対する予想についての情報を含む予想情報をユーザ端末に開示する、情報処理装置が提供される。
【０００７】
本発明の一態様によれば、ユーザ端末の動画の再生時間に応じて、ユーザ端末に予想情報を与える。ユーザ端末を用いるユーザは、予想情報を得るために、動画をより長時間視聴することになる。これにより、情報処理装置は、ユーザに長時間の動画視聴を行わせることができる。
【図面の簡単な説明】
【０００８】
【図１】本発明の第１実施形態に係る予想情報管理システム１の概要を示す図である。
【図２】ユーザ端末１０のハードウェア構成を示すブロック図である。
【図３】サーバ２０のハードウェア構成を示すブロック図である。
【図４】第１実施形態に係る制御部２１の機能構成を示すブロック図である。
【図５】図５Ａは予想情報の一例を示す図である。図５Ｂは予想情報の一例を示す図である。
【図６】予想情報管理システム１の処理の流れを示すフロー図である。
【図７】図７Ａは予想情報管理システム１の動作などを時間軸に示した図である。図７Ｂは予想情報管理システム１の動作などを時間軸に示した図である。
【図８】タッチパネルディスプレイ１４が表示する画面の一例を示す図である。
【図９】タッチパネルディスプレイ１４が表示する画面の一例を示す図である。
【図１０】タッチパネルディスプレイ１４が表示する画面の一例を示す図である。
【図１１】予想情報管理システム１の処理の流れを示すフロー図である。
【図１２】予想情報管理システム１の動作などを時間軸に示した図である。
【図１３】予想情報管理システム１の処理の流れを示すフロー図である。
【図１４】タッチパネルディスプレイ１４が表示する画面の一例を示す図である。
【図１５】予想情報管理システム１の処理の流れを示すフロー図である。
【図１６】第５実施形態に係る制御部２１の機能構成を示すブロック図である。
【図１７】タッチパネルディスプレイ１４が表示する画面の一例を示す図である。
【発明を実施するための形態】
【０００９】
以下、図面を用いて本発明のいくつかの実施形態について説明する。以下に示す実施形態中で示した各種特徴事項は、互いに組み合わせ可能である。また、各特徴事項について独立して発明が成立する。
【００１０】
＜１．第１実施形態＞
（１−１．予想情報管理システム１の概要）
本発明の一実施形態における予想情報管理システム１は、１つ又は複数のユーザ端末１０及びサーバ２０を備える。ユーザ端末１０は情報処理装置の一例である。サーバ２０は情報処理装置の一例である。
【００１１】
ユーザ端末１０は、動画を再生し、開示された予想情報を出力する。予想情報については後述する。ユーザ端末１０は、通信回線５を介してサーバ２０と通信可能に構成される。サーバ２０は、予想情報を管理し、ユーザ端末１０に開示する。
【００１２】
サーバ２０は、ユーザ端末１０に競技に関する動画を送信する。ここで、競技とは、競技者、自転車、ボート、オートバイを含む競技車体、競走馬、又は競技チーム等の競技体が参加するレースの結果を、観戦者が予想して投票する競技を意味するが、これに限られない。競技は、例えば、競輪、オートレース、競馬、競艇、サッカー、テニス、又はエレクトロニック・スポーツ等でもよい。ユーザ端末１０のユーザは、競技の結果を予想してユーザ端末１０を操作することにより、公営競技における投票をサーバ２０に対して行うことができる。以下において、「競技に関する動画」を略して「動画」と称する場合がある。動画の例としては、競技の結果を予想する予想者が出演し、当該予想を示す動画や、競技のレース映像を配信する動画などが挙げられる。
【００１３】
ユーザＵは、ユーザ端末１０を操作して動画を再生することにより、動画を視聴することができる。サーバ２０は、ユーザ端末１０の動画が再生された再生時間に応じて、ユーザ端末１０に予想情報を開示する。以下において、「ユーザ端末１０の動画が再生された再生時間」を略して「再生時間」と称する場合がある。予想情報とは、動画に関連付けられた競技の結果に対する予想を含む情報である。予想情報の詳細な態様については後述する。
【００１４】
サーバ２０は、再生時間に応じてユーザ端末１０に予想情報を開示する。ユーザ端末１０は開示された予想情報を出力する。ユーザＵはユーザ端末１０に出力された予想情報を認知できる。ユーザＵは、予想情報を得るために、動画を長時間視聴することになる。
【００１５】
（１−２．予想情報管理システム１のハードウェア構成）
図２及び図３を参照し、予想情報管理システム１におけるハードウェア構成を説明する。
【００１６】
（１−２−１．ユーザ端末１０のハードウェア構成）
図２は、本実施形態に係るユーザ端末１０のハードウェア構成を示すブロック図である。ユーザ端末１０は、例えば、スマートフォンやタブレット端末等の情報処理端末であり、画像を表示し操作を受け付け可能なタッチパネルディスプレイ１４、音を出力するスピーカー１５、音が入力されるマイク１６、及び被写体を撮像するカメラ１７を備える他に、さらに、制御部１１、記憶部１２、通信部１３、操作ボタン１８を備える。
【００１７】
制御部１１は、例えば、ＣＰＵ（Ｃｅｎｔｒａｌ  Ｐｒｏｃｅｓｓｉｎｇ  Ｕｎｉｔ）、マイクロプロセッサ、ＤＳＰ（Ｄｉｇｉｔａｌ  Ｓｉｇｎａｌ  Ｐｒｏｃｅｓｓｏｒ）等であり、ユーザ端末１０の全体の動作を制御する。
【００１８】
記憶部１２の一部は、例えば、ＲＡＭ（Ｒａｎｄｏｍ  Ａｃｃｅｓｓ  Ｍｅｍｏｒｙ）やＤＲＡＭ（Ｄｙｎａｍｉｃ  Ｒａｎｄｏｍ  Ａｃｃｅｓｓ  Ｍｅｍｏｒｙ）等で構成されており、制御部１１による各種プログラムに基づく処理の実行時のワークエリア等として用いられる。また、記憶部１２の一部は、例えば、ＲＯＭ（Ｒｅａｄ  Ｏｎｌｙ  Ｍｅｍｏｒｙ）等の不揮発性メモリ、又はＨＤＤ（Ｈａｒｄ  Ｄｉｓｋ  Ｄｒｉｖｅ）であり、画像等の各種データ及び制御部１１の処理に利用されるプログラム等を保存する。
【００１９】
記憶部１２に記憶されるプログラムは、例えば、ユーザ端末１０の基本的な機能を実現するためのＯＳ（Ｏｐｅｒａｔｉｎｇ  Ｓｙｓｔｅｍ）、各種ハードウェア制御するためのドライバ、電子メールやウェブブラウジング、動画再生、その他各種機能を実現するためのプログラム等であって、本実施形態に係るコンピュータプログラムを含む。
【００２０】
通信部１３は、例えばＮＩＣ（Ｎｅｔｗｏｒｋ  Ｉｎｔｅｒｆａｃｅ  Ｃｏｎｔｒｏｌｌｅｒ）であり、通信回線５に接続する機能を有する。なお、通信部１３は、ＮＩＣに代えて又はＮＩＣと共に、無線ＬＡＮ（Ｌｏｃａｌ  Ａｒｅａ  Ｎｅｔｗｏｒｋ）に接続する機能、無線ＷＡＮ（Ｗｉｄｅ  Ａｒｅａ  Ｎｅｔｗｏｒｋ）に接続する機能、例えばＢｌｕｅｔｏｏｔｈ（登録商標）等の近距離の無線通信、及び赤外線通信等を可能とする機能を有してもよい。
【００２１】
操作ボタン１８は、ユーザ端末１０の側面に設けられ、ユーザ端末１０を起動又は停止させるための電源ボタンやスピーカー１５が出力する音のボリューム調整ボタン等である。
【００２２】
これら制御部１１、記憶部１２、通信部１３、タッチパネルディスプレイ１４、スピーカー１５、マイク１６、カメラ１７、及び操作ボタン１８は、システムバス１９を介して相互に電気的に接続されている。従って、制御部１１は、記憶部１２へのアクセス、タッチパネルディスプレイ１４に対する画像の表示、ユーザによるタッチパネルディスプレイ１４や操作ボタン１８に対する操作状態の把握、マイク１６への音の入力、スピーカー１５からの音の出力、カメラ１７に対する制御、及び通信部１３を介した各種通信網や他の情報処理装置へのアクセス等を行うことができる。
【００２３】
（１ー２ー２．サーバ２０のハードウェア構成）
図３は、本実施形態に係るサーバ２０のハードウェア構成を示すブロック図である。サーバ２０は、サーバ２０全体の動作を司る制御部２１、制御部２１による各種プログラムの実行時のワークエリア等として用いられ、また各種プログラム及び各種データ等が予め記憶された記憶部２２を備えている。以下、ユーザ端末１０との相違点を中心に説明する。
【００２４】
サーバ２０は、通信回線５を介してユーザ端末１０等の他の情報処理装置等と接続され、他の情報処理装置等との間で各種データの送受信を行う通信部２４を備えている。また、キーボード及びマウス等で構成されて各種操作の入力を受け付ける操作入力部２５、各種画像を表示する例えば液晶ディスプレイ装置等のモニタ２６を備えていてもよい。
【００２５】
これら制御部２１、記憶部２２、通信部２４、操作入力部２５、モニタ２６は、システムバス２７を介して相互に電気的に接続されている。
【００２６】
（１−３．制御部２１の機能構成）
図４を参照し、制御部２１の機能について説明する。図４に示すように、サーバ２０の制御部２１は、動画送信部２１ａと、予想情報開示部２１ｂと、受付部２１ｃとしての機能を備える。
【００２７】
動画送信部２１ａは、動画をユーザ端末１０に送信する。動画送信部２１ａがユーザ端末１０に動画を送信する態様の例としては、予め録画され、記憶部２２が記憶している動画の送信方法（以下において、非ライブ配信と称する場合がある）と、リアルタイムでの動画の送信方法（以下において、ライブ配信と称する場合がある）とが挙げられる。動画送信部２１ａがライブ配信により動画を送信する場合、ユーザＵはより高い臨場感を味わうことができる。また、動画送信部２１ａがユーザ端末１０に動画を送信する方法の例としては、ストリーミングと、ダウンロードなどが挙げられる。
【００２８】
予想情報開示部２１ｂは、再生時間に応じて予想情報をユーザ端末１０に開示する。具体的には、予想情報開示部２１ｂは、再生時間が第１所定時間以上である場合、予想情報として第１予想情報をユーザ端末１０に開示する。第１所定時間の例としては、サーバ２０の管理者により予め設定された時間などが挙げられる。なお、全てのユーザＵ又はユーザ端末１０に対し同じ第１所定時間が設定されてもよく、ユーザＵの属性ごと又はユーザ端末１０の属性ごとに異なる第１所定時間が設定されてもよい。
【００２９】
予想情報とは、動画に関連付けられた競技の結果に対する予想を含む情報である。予想情報の例としては、競技に参加する者（選手など）又は物（自転車、ボート、オートバイ、若しくは競走馬など）などの競争体を示す情報を組み合わせた情報が挙げられる。競技の結果に対する予想を含む情報は、例えば、着順を競うレースにおける着順に関する予想を含む情報、又は点数を競う試合における勝敗及び／又は得失点に関する予想を含む情報などである。なお、第１予想情報は、１つの予想情報又は複数の予想情報の集合をいう。
【００３０】
「再生時間」は、種々の方法により計測されてもよいが、例えば、ユーザ端末１０での再生に基づきユーザ端末１０において計測し、適宜サーバ２０へ送信する態様であってもよい。また、ユーザ端末１０からの要求に応じてサーバ２０が動画を送信（特に、ストリーミング配信）した履歴に基づいて計測及び記録されてもよい。
【００３１】
図５を参照し、一例として、着順を競うレースにおける着順に関する予想を含む情報としての予想情報について説明する。図５Ａ及び図５Ｂは、ユーザ端末１０に表示される予想情報の一例を示す。図５Ａ及び図５Ｂに示す競争体Ｎは、競技に参加する者又は物を示す情報である。例えば、競技が競輪である場合、競争体Ｎは競技に参加する選手を示す情報である。この場合、競争体Ｎ１は、競技に参加した「１」番の選手を示す。また、競争体Ｎ２は、競技に参加した「５」番の選手を示す。また、競争体Ｎ３は、競技に参加した「９」番の選手を示す。例えば、競技が競馬である場合、競争体Ｎは競技に参加する競走馬を示す情報である。この場合、競争体Ｎ４は、競技に参加した「２」番の競走馬を示す。競争体Ｎ５は、競技に参加した「４」番の競走馬を示す。なお、競技に参加する者又は物を示す情報は、数字に限られず、文字、文字と数字の組み合わせであってもよい。
【００３２】
図５Ａ及び図５Ｂに示す手法Ｓ及び手法Ｔは、組み合わせの手法を示す。図５Ａの手法Ｓは、着順に係る組み合わせを示す。例えば、手法Ｓ１は、着順が競争体Ｎ１から競争体Ｎ２の順序になることを示す。手法Ｓ２は、着順が競争体Ｎ２から競争体Ｎ３の順序になることを示す。図５Ｂの手法Ｔは、所定の順位内の到着を示す組み合わせを示す。例えば、手法Ｔは競争体Ｎ４及び競争体Ｎ５の３位内の到着を示す。
【００３３】
なお、予想情報は、予想と競技の結果が一致する確率を含んでもよい。なお、予想情報は、ユーザの投票の額と、予想と競技の結果が一致する場合にユーザが獲得できる額との倍率を含んでもよい。なお、予想情報は、オッズ（払戻率）を含んでもよい。払戻率とは、予想と競技の結果が一致する場合に、ユーザＵに払い戻される比率をいう。なお、予想情報は、予想者の各着順予想への投票金額を含んでもよい。
【００３４】
複数の予想情報の集合を、「１セットの予想情報」と称する。以下において、１セットの予想情報の具体例を説明する。
【００３５】
１セットの予想情報の例としては、予想情報開示部２１ｂが、競技が行われる日時及び競技が行われる場所ごとに、ユーザ端末１０に最大に開示できる複数の予想情報が挙げられる。例えば、２０２１年３月１日１１時に、競輪場Ａで行われる競技について、予想情報開示部２１ｂがユーザ端末１０に開示できる最大の予想情報の数が３つであるとする。この場合、３つの予想情報の集合が１セットの予想情報になる。
【００３６】
なお、１セットの予想情報の例としては、予想情報開示部２１ｂが、競技が行われる日時、競技が行われる場所及び予想者ごとに、ユーザ端末１０に最大に開示できる複数の予想情報も挙げられる。例えば、２０２１年４月１日１３時に、競輪場Ｂで行われるある単一の競技について、予想情報開示部２１ｂがユーザ端末１０に開示できる予想者Ａが予想した予想情報の数が２つあるとする。この場合、２つの予想情報の集合が１セットの予想情報になる。
【００３７】
なお、１セットの予想情報は、予想情報開示部２１ｂが、競技が行われる日時、競技が行われる場所及び動画ごとに、ユーザ端末１０に最大に開示できる複数の予想情報であってもよい。また、１セットの予想情報は、予想情報開示部２１ｂが、競技が行われる期間及び競技が行われる場所ごとに、ユーザ端末１０に最大に開示できる複数の予想情報であってもよい。また、１セットの予想情報は、競技が行われる期間、競技が行われる場所及び予想者ごとに、ユーザ端末１０に最大に開示できる複数の予想情報であってもよい。また、１セットの予想情報は、予想情報開示部２１ｂが、競技が行われる期間、競技が行われる場所及び動画ごとに、ユーザ端末１０に最大に開示できる複数の予想情報であってもよい。
【００３８】
予想情報開示部２１ｂが予想情報を開示する態様の例としては、ユーザ端末１０への予想情報の送信などが挙げられる。
【００３９】
予想情報が開示されたユーザ端末１０は、予想情報を出力する。ユーザ端末１０が予想情報を出力する態様の例としては、タッチパネルディスプレイ１４への表示と、スピーカー１５により予想情報に対応する音声を発することとが挙げられる。
【００４０】
上述のように、予想情報開示部２１ｂは、再生時間が第１所定時間以上である場合、ユーザ端末１０にインセンティブ（第１予想情報）を与える。ユーザＵは、第１予想情報を得るために、動画を第１所定時間以上視聴することになる。
【００４１】
また、予想情報開示部２１ｂは、再生時間が第２所定時間以上である場合、予想情報として第２予想情報をユーザ端末１０に開示する。第２所定時間は、第１所定時間より長い。第２所定時間の例としては、サーバ２０の管理者により予め設定された時間などが挙げられる。なお、全てのユーザＵ又はユーザ端末１０に対し同じ第２所定時間が設定されてもよく、ユーザＵの属性ごと又はユーザ端末１０の属性ごとに異なる第２所定時間が設定されてもよい。なお、第２予想情報は、１つの予想情報又は複数の予想情報の集合をいう。
【００４２】
予想情報開示部２１ｂは、再生時間が第２所定時間以上である場合、ユーザ端末１０に更なるインセンティブ（第２予想情報）を与える。ユーザＵは、第１所定時間以上視聴した後であっても、第２予想情報を得るために、動画を第２所定時間以上視聴する動機が与えられる。ここで、第２予想情報は、第１予想情報が含んでいなかった新たな情報を含む予想情報である。
【００４３】
なお、予想情報開示部２１ｂが第２予想情報をユーザ端末１０に開示することにより、１セットの予想情報が開示されたとする。また、１セットの予想情報とは、競技が行われる日時、競技が行われる場所及び予想者ごとに、ユーザ端末１０に最大に開示できる複数の予想情報であるとする。１セットの予想情報が開示されたことにより、ユーザ端末１０を用いるユーザＵは、予想者の予想の全容がわかるため、投票を行う際に参考にできる。
【００４４】
受付部２１ｃは、ユーザ端末１０から、複数の競技体が参加する競技において起こりうる競技結果への投票を受け付ける。受付部２１ｃによる投票の受け付けの例としては、競技に対する投票の額を示す情報の受け付けや、競技に参加する競技体の着順（順位）を指定する情報の受け付けなどが挙げられる。ユーザＵはユーザ端末１０を操作して、競技に対する投票の額を入力する。入力された投票の額を受け付けたユーザ端末１０は、投票の額を示す情報をサーバ２０に送信する。受付部２１ｃは送信された投票の額を示す情報を受け付ける。
【００４５】
上述した機能は、サーバ２０に適宜インストールされるソフトウェアによって実現してもよく、ハードウェアによって実現してもよい。ソフトウェアによって実現する場合、制御部４１がソフトウェアを構成するプログラムを実行することによって各種機能を実現することができる。
【００４６】
プログラムを実行することで実現される場合、当該プログラムは、サーバ２０が内蔵する記憶部２２に格納してもよく、コンピュータが読み取り可能な非一時的な記録媒体に格納してもよい。また、外部の記憶装置に格納されたプログラムを読み出し、いわゆるクラウドコンピューティングにより実現してもよい。もしくは、ハードウェアによって実現する場合、ＡＳＩＣ、ＳＯＣ、ＦＰＧＡ、又はＤＲＰなどの種々の回路によって実現することができる。また、上述した機能構成は、一部の機能構成をソフトウェア又はハードウェアによって、サーバ２０で処理されるようにしてもよい。
【００４７】
なお、上述した機能のうち、すべての機能又は一部の機能はユーザ端末１０が実現してもよい。また、上述した機能に係る処理の態様は、バッチ処理と、リアルタイム処理の何れかであってもよい。
【００４８】
（１−４．予想情報管理システム１の処理の流れ）
図６を参照し、予想情報管理システム１が予想情報を開示する処理（以下において、「開示処理」と称する場合がある）の流れを説明する。ユーザＵがユーザ端末１０を操作して動画の再生を開始させることにより、開示処理が開始される。例えば、ユーザＵがユーザ端末１０を操作して動画の再生を開始させたとする。ユーザ端末１０はサーバ２０に対して動画の送信を要求する。動画送信部２１ａは動画をユーザ端末１０に送信する。また、開示処理も開始される。
【００４９】
ステップＳ１０１において、予想情報開示部２１ｂは動画の再生時間が第１所定時間以上であるか否かを判定する。再生時間が第１所定時間以上である場合（Ｓ１０１：ＹＥＳ）、予想情報開示部２１ｂは、ユーザ端末１０に第１予想情報を開示する（ステップＳ１０２）。
【００５０】
他方、再生時間が第１所定時間以上でない場合（Ｓ１０１：ＮＯ）、予想情報開示部２１ｂは、ユーザ端末１０において動画の再生が終了したか否かを判定する。また、予想情報開示部２１ｂは、現時刻が投票の受け付け締め切り時刻以降であるか否かを判定する（Ｓ１０３）。なお、以下において、投票の受け付け締め切り時刻を略して、「締め切り時刻」と称する場合がある。締め切り時刻の例としては、受付部２１ｃがユーザ端末１０から投票を受け付けない時刻が挙げられる。締め切り時刻は、サーバ２０の管理者などにより、予め設定される。
【００５１】
Ｓ１０３において、予想情報開示部２１ｂが動画の再生が終了したと判定した場合、または予想情報開示部２１ｂが、現時刻が締め切り時刻以降である判定した場合（Ｓ１０３：ＹＥＳ）、予想情報を開示する処理は終了する。
【００５２】
他方、Ｓ１０３において、予想情報開示部２１ｂが動画の再生が終了していないと判定し、かつ、予想情報開示部２１ｂが、現時刻が締め切り時刻以降でないと判定した場合（Ｓ１０３：ＮＯ）、予想情報開示部２１ｂは、再生時間が第１所定時間以上であるか否かを再度判定する（Ｓ１０１）。
【００５３】
予想情報開示部２１ｂにより第１予想情報が開示された後（Ｓ１０２）、予想情報開示部２１ｂは再生時間が第２所定時間以上であるか否かを判定する（Ｓ１０４）。再生時間が第２所定時間以上であると判定された場合（Ｓ１０４：ＹＥＳ）、予想情報開示部２１ｂはユーザ端末１０に第２予想情報を開示する（Ｓ１０５）。
【００５４】
他方、再生時間が第２所定時間以上でない場合（Ｓ１０４：ＮＯ）、予想情報開示部２１ｂは、ユーザ端末１０において動画の再生が終了したか否かを判定する。また、予想情報開示部２１ｂは、現時刻が締め切り時刻以降であるか否かを判定する（Ｓ１０６）。
【００５５】
Ｓ１０６において、予想情報開示部２１ｂが動画の再生が終了したと判定した場合、または予想情報開示部２１ｂが、現時刻が締め切り時刻以降である判定した場合（Ｓ１０６：ＹＥＳ）、予想情報を開示する処理は終了する。
【００５６】
他方、Ｓ１０６において、予想情報開示部２１ｂが動画の再生が終了していないと判定し、かつ、予想情報開示部２１ｂが、現時刻が締め切り時刻以降でないと判定した場合（Ｓ１０６：ＮＯ）、予想情報開示部２１ｂは、再生時間が第２所定時間以上であるか否かを再度判定する（Ｓ１０４）。
【００５７】
なお、Ｓ１０１、Ｓ１０３、Ｓ１０４、Ｓ１０６における予想情報開示部２１ｂの判定は、リアルタイム処理又はバッチ処理の何れかであってもよい。予想情報開示部２１ｂがリアルタイム処理により動作する場合、ユーザ端末１０に予想情報を迅速に開示できる。また、予想情報開示部２１ｂがバッチ処理により動作を行う場合、予想情報開示部２１ｂがリアルタイム処理により動作する場合に比べて、サーバ２０の処理の負荷を減らすことができる。
【００５８】
なお、予想情報開示部２１ｂは、Ｓ１０３又はＳ１０６の動作において、現時刻が締め切り時刻以降であるか否かの判定を行わなくてもよい。この場合、予想情報開示部２１ｂは、Ｓ１０３又はＳ１０６の動作において、ユーザ端末１０において動作の再生が終了したか否かで判定を行う。また、予想情報開示部２１ｂは、Ｓ１０３又はＳ１０６の動作において、現時刻が所定時刻以降であるか否かの判定を行ってもよい。所定時刻の例としては、締め切り時刻に、所定の時間を演算して出される時刻などが挙げられる。
【００５９】
（１−５. ユースケース）
以下、図６〜図１０を参照しながら予想情報管理システム１のユースケースについて説明する。図７Ａ及び図７Ｂは予想情報管理システム１の動作などを時間軸に示した図である。以下において、図７Ａに係るユースケースを「ユースケース１」と称する。また、以下において、図７Ｂに係るユースケースを「ユースケース２」と称する。
【００６０】
（１−５−１．ユースケース１）
図７Ａを参照しながら、ユースケース１について説明する。ユーザ端末１０が時刻ｔ１から時刻ｔ３まで、動画を再生したとする。これによる動画の再生時間は時間ｈ１となる。ユーザ端末１０は時刻ｔ３から時刻ｔ４まで、動画を再生していないとする。ユーザ端末１０が時刻ｔ４から時刻ｔ６まで、動画を更に再生したとする。これにより、動画の再生時間は時間ｈ１と時間ｈ２と時間ｈ３を加算した時間となる。
【００６１】
時刻ｔ１において動画の再生が開始される。これにより、図８に示すように、タッチパネルディスプレイ１４の所定領域Ｄに動画が表示される。また、開示処理が開始される。
【００６２】
予想情報開示部２１ｂは、再生時間が第１所定時間以上であるか否かを判定する（Ｓ１０１）。第１所定時間が時刻ｔ１から時刻ｔ２までの時間に等しい場合、時刻ｔ２に達するまで、再生時間が第１所定時間以上でないため、予想情報開示部２１ｂはＳ１０１の動作とＳ１０３の動作を繰り返すことになる。タッチパネルディスプレイ１４が表示する画面上には、第１予想情報等の予想情報を開示しない（少なくとも予想の内容を確認できるようには表示しない）。
【００６３】
ユーザ端末１０において、動画の再生が時刻ｔ１からｔ３まで連続して行われている場合、時刻ｔ１から時刻ｔ２までの再生によって、時刻ｔ２が経過した時点で再生時間が第１所定時間以上となる。時刻ｔ２以降に予想情報開示部２１ｂは再生時間が第１所定時間以上であると判定することが可能である（Ｓ１０１：ＹＥＳ）。これにより、予想情報開示部２１ｂはユーザ端末１０に第１予想情報を開示する（Ｓ１０２）。
【００６４】
図９は、タッチパネルディスプレイ１４が表示する画面の一例を示す図である。図９に示すように、所定領域Ｄの下の領域Ｐ１に、第１予想情報が表示される。なお、領域Ｐ２は、ユーザＵが投票の額を入力できる領域である。ユーザＵが領域Ｐ２に投票の額を入力した場合、ユーザ端末１０が投票の額を受け付ける。ユーザ端末１０は、投票の額を示す情報と予想情報と当該予想情報を予想した者とを関連付けた情報をサーバ２０に送信する。受付部２１ｃは送信された投票の額を示す情報と予想情報と当該予想情報を予想した者とを関連付けた情報を受け付ける。これにより、受付部２１ｃは、ユーザＵから第１予想情報に基づいた投票を受け付ける。
【００６５】
第１予想情報の開示（Ｓ１０２）以降、予想情報開示部２１ｂは、再生時間が第２所定時間以上であるか否かを判定する（Ｓ１０４）。
【００６６】
時刻ｔ２経過後も再生がユーザ端末１０における継続しているため時刻ｔ３までは再生時間は加算され、時刻ｔ３では再生時間は時間ｈ１（＝ｔ３−ｔ１）である。時刻ｔ３から時刻ｔ４までは、時刻ｔ３時点で再生が中断されているため、再生時間は加算されず時間ｈ１のままである。
【００６７】
時刻ｔ４から動画の再生が再開されると、再生時間の加算も再開される。時刻ｔ４から時刻ｔ５まで動画の再生が継続した場合には、再生時間は時間ｈ１に時間ｈ２（＝ｔ５−ｔ４）を加えた時間である。時間ｈ１と時間ｈ２を加算した再生時間が第２所定時間と同じ値である場合、予想情報開示部２１ｂは、時刻ｔ５以降に再生時間が第２所定時間ｈ２ａ以上であると判定することが可能である（Ｓ１０４：ＹＥＳ）。これにより、予想情報開示部２１ｂはユーザ端末１０に第２予想情報を開示する（Ｓ１０５）。時刻ｔ５に達するまで、再生時間は第２所定時間以上でないため、予想情報開示部２１ｂはＳ１０４の動作とＳ１０６の動作を繰り返すことになる。
【００６８】
そして、図７Ａにおいては、時刻ｔ５を経過後も動画の再生は継続されており、再生時間は時刻ｔ６まで行われる。結果、時刻ｔ６において再生時間は時間ｈ３（＝ｔ６−ｔ５）も加算されたｈ１＋ｈ２＋ｈ３が再生時間となる。
【００６９】
図１０は、タッチパネルディスプレイ１４が表示する画面の一例を示す図である。図１０に示すように、所定領域Ｄの下の領域Ｐ３に、第２予想情報が表示される。なお、領域Ｐ４は、ユーザＵが投票の額を入力できる領域である。ユーザＵが領域Ｐ３に投票の額を入力した場合、ユーザ端末１０は、投票の額を示す情報と予想情報と当該予想情報を予想した者とを関連付けた情報をサーバ２０に送信する。受付部２１ｃは送信された投票の額を示す情報と予想情報と当該予想情報を予想した者とを関連付けた情報を受け付ける。これにより、受付部２１ｃは、ユーザＵから第２予想情報に基づいた投票を受け付ける。
【００７０】
（１−５−２．ユースケース２）
図７Ｂを参照しながら、ユースケース２について説明する。ユーザ端末１０が時刻ｔ７から時刻ｔ１２まで、連続して動画を再生したとする。これにより、動画の再生時間は時間ｈ４と時間ｈ５と時間ｈ６を加算した時間となる。また、時刻ｔ１０は、投票の締め切り時刻であるとする。締め切り時刻が存在する点で、ユースケース２はユースケース１と異なる。
【００７１】
時刻ｔ７において、動画の再生が開始される。これにより、図８に示すように、タッチパネルディスプレイ１４の所定領域Ｄに動画が表示される。また、開示処理が開始される。
【００７２】
予想情報開示部２１ｂは、再生時間が第１所定時間以上であるか否かを判定する（Ｓ１０１）。第１所定時間が時刻ｔ７から時刻ｔ８までの時間に等しい場合、時刻ｔ８に達するまで、再生時間が第１所定時間以上でないため、予想情報開示部２１ｂはＳ１０１の動作とＳ１０３の動作を繰り返すことになる。
【００７３】
ユーザ端末１０において、動画の再生が時刻ｔ７からｔ９まで連続して行われている場合、時刻ｔ７から時刻ｔ８までの再生によって、時刻ｔ８が経過した時点で再生時間が第１所定時間以上となる。時刻ｔ８の以降に、予想情報開示部２１ｂは再生時間が第１所定時間以上であると判定することが可能である（Ｓ１０１：ＹＥＳ）。これにより、予想情報開示部２１ｂはユーザ端末１０に第１予想情報を開示する（Ｓ１０２）。図９に示すように、所定領域Ｄの下の領域Ｐ１に、第１予想情報が表示される。
【００７４】
第１予想情報の開示（Ｓ１０２）以降、予想情報開示部２１ｂは、再生時間が第２所定時間以上であるか否かを判定する（Ｓ１０４）。
【００７５】
時刻ｔ９以降も動画の再生が継続し時刻ｔ１１まで再生された場合には、再生時間は時間ｈ４に時間ｈ５（＝ｔ１１−ｔ９）を加えた時間である。時間ｈ４と時間ｈ５を加算した再生時間が第２所定時間と同じ値である場合、時刻ｔ１１に達するまで、再生時間は第２所定時間以上でないため、予想情報開示部２１ｂはＳ１０４の動作とＳ１０６の動作を繰り返すことになる。
【００７６】
しかし、時刻ｔ１１に到達する前に、締め切り時刻ｔ１０に到達する。そのため、予想情報開示部２１ｂは、第２予想情報を開示することなく、時刻ｔ１０以降に、開示処理を終了させることになる（Ｓ１０６：ＹＥＳ）。
【００７７】
上述のように、ユースケース１では、予想情報開示部２１ｂは、ユーザ端末１０に第１予想情報及び第２予想情報を開示する。しかし、ユースケース２では、予想情報開示部２１ｂは、第１予想情報を開示し、第２予想情報を開示しない。これは、第２所定時間に到達する前に、締め切り時刻ｔ１０に到達するためである。
【００７８】
（１−６．変形例）
予想情報開示部２１ｂは、１セットの予想情報を複数の段階に分けて、ユーザ端末１０に開示してもよい。例えば、予想情報開示部２１ｂは、１セットの予想情報を５つの段階に分けて、ユーザ端末１０に開示するとする。１セットの予想情報は５つの予想情報の集合であるとする。それぞれの段階は、所定時間Ｔ１、所定時間Ｔ２、所定時間Ｔ３、所定時間Ｔ４、所定時間Ｔ５に対応するとする。ここで、所定時間Ｔ１から所定時間Ｔ５になるほど、時間が長くなるとする。
【００７９】
この場合、予想情報開示部２１ｂは、再生時間が所定時間Ｔ１以上である場合、ユーザ端末１０に１つの予想情報を開示する。また、予想情報開示部２１ｂは、再生時間が所定時間Ｔ２以上である場合、ユーザ端末１０に更に１つの予想情報を開示する。また、予想情報開示部２１ｂは、再生時間が所定時間Ｔ３以上である場合、ユーザ端末１０に更に１つの予想情報を開示する。予想情報開示部２１ｂは、再生時間が所定時間Ｔ４以上である場合、ユーザ端末１０に更に１つの予想情報を開示する。予想情報開示部２１ｂは、再生時間が所定時間Ｔ５以上である場合、ユーザ端末１０に更に１つの予想情報を開示する。即ち、再生時間が所定時間Ｔ５以上である場合、予想情報開示部２１ｂは１セットの予想情報をユーザ端末１０に開示することになる。
【００８０】
＜２．第２実施形態＞
以下、第２実施形態に係る予想情報管理システム１について説明する。第２実施形態に係る予想情報管理システム１は、第１実施形態に係る予想情報管理システム１と同様に再生時間に応じて予想情報の開示を行うが、締め切り時刻までの残り時間に基づいて判定を変化させる点で異なる。以下、相違点を中心に説明する。
【００８１】
第２実施形態において、予想情報開示部２１ｂは、締め切り時刻までの残り時間が第１所定条件を満たす場合には、再生時間が第３所定時間以上である場合に、第１予想情報をユーザ端末１０に開示する。以下において、締め切り時刻までの残り時間を略して、「残り時間」と称する場合がある。第１所定条件の例としては、残り時間が予め設定された時間以下であることなどが挙げられる。
【００８２】
第１所定条件の例としては、現時刻から投票締め切り時刻までの残り時間が、予め設定された時間以下であることなどが挙げられる。
【００８３】
第３所定時間は、第１所定時間より短く設定された時間である。第３所定時間の例としては、残り時間に応じて設定される時間と、残り時間に関わらず一定になるように設定された時間などが挙げられる。残り時間に応じて設定される時間の例としては、残り時間と比例するように設定される時間などが挙げられる。なお、残り時間に応じて設定される時間は、残り時間を変数として演算して算出された時間であってもよい。
【００８４】
サーバ２０は、再生時間が第３所定時間以上である場合、ユーザ端末１０にインセンティブ（第１予想情報）を与える。ユーザ端末１０を用いるユーザＵは、残り時間が第１所定条件を満たす場合には、動画を第１所定時間以上視聴しなくても、動画を第３所定時間視聴することにより、第１予想情報を得ることができる。ユーザ端末１０を用いるユーザＵは、インセンティブを得るために、動画を第３所定時間以上視聴することになる。
【００８５】
なお、上述した機能はユーザ端末１０が実現してもよい。また、上述した機能に係る処理の態様は、バッチ処理と、リアルタイム処理の何れかであってもよい。
【００８６】
（２−１．予想情報管理システム１の処理の流れ）
図１１を参照し、開示処理の流れを説明する。第２実施形態に係る開示処理のＳ１０１、Ｓ１０２、Ｓ１０３、Ｓ１０４、Ｓ１０５、Ｓ１０６の動作は、第１実施形態に係る開示処理のＳ１０１、Ｓ１０２、Ｓ１０３、Ｓ１０４、Ｓ１０５、Ｓ１０６の動作と同様である。第２実施形態に係る開示処理は、第１実施形態に係る開示処理の動作に加え、Ｓ２０１、Ｓ２０２、Ｓ２０３の動作を行う。以下において、Ｓ２０１、Ｓ２０２、Ｓ２０３に係る動作について詳細に説明する。
【００８７】
開示処理が開始されると、予想情報開示部２１ｂは、残り時間が第１所定条件を満たすか否か判定する（Ｓ２０１）。残り時間が第１所定条件を満たさないと判定された場合（Ｓ２０１：ＮＯ）、予想情報開示部２１ｂはＳ１０１の動作を行う。
【００８８】
他方、残り時間が第１所定条件を満たすと判定された場合（Ｓ２０１：ＹＥＳ）、予想情報開示部２１ｂは、再生時間が第３所定時間以上であるか否か判定する（Ｓ２０２）。
【００８９】
再生時間が第３所定時間以上であると判定された場合（Ｓ２０２：ＹＥＳ）、予想情報開示部２１ｂは第１予想情報を開示する（Ｓ１０２）。他方、再生時間が第３所定時間以上でないと判定された場合（Ｓ２０２：ＮＯ）、予想情報開示部２１ｂはＳ２０３の動作を行う。Ｓ２０３の動作は、Ｓ１０３の動作と同様である。
【００９０】
（２−２．ユースケース）
図１１、図１２を参照し、ユースケースについて説明する。図１２に係るユースケースを「ユースケース３」と称する。図１２は予想情報管理システム１の動作などを時間軸に示した図である。
【００９１】
時間ｈ１ｂは第１所定時間を表す。また、時間ｈ２ｂは第２所定時間を表す。また、時間ｈ３ｂは第３所定時間を表す。ユーザ端末１０が、時刻ｔ１３から時刻ｔ１６まで動画を再生したとする。時刻ｔ１６時点での再生時間は、時間ｈ７と時間ｈ８と時間ｈ９を加算した時間となる。なお、締め切り時刻を時刻ｔ１５とする。
【００９２】
時刻ｔ１３から時刻ｔ１６まで再生した場合の再生時間が第１所定時間ｈ１ｂより短い場合、予想情報開示部２１ｂは、再生時間が第１所定時間以上であることに基づいては第１予想情報を開示しない。
【００９３】
一方、 予想情報開示部２１ｂは、第１所定条件を満たす場合（Ｓ２０１：ＹＥＳ）、再生時間が第３所定時間ｈ３ｂ以上であるか否か判定する（Ｓ２０２）。第１所定条件は、現時刻における残り時間が時間ｈ８以下である。時刻ｔ１４以降になると現時刻からの残り時間が時間ｈ８以下となり、第１所定条件を満たす。そのため、時刻ｔ１４以降、予想情報開示部２１ｂは、再生時間が第３所定時間ｈ３ｂ以上であるか否かを判定する（Ｓ２０２）。
【００９４】
時刻ｔ１４の時点で、再生時間は第３所定時間ｈ３ｂ以上である。そのため、予想情報開示部２１ｂ再生時間が第３所定時間ｈ３ｂ以上であると判定する（Ｓ２０２：ＹＥＳ）。予想情報開示部２１ｂはユーザ端末１０に第１予想情報を開示する（Ｓ１０２）。
【００９５】
締め切り時刻までの再生時間は、第２所定時間ｈ２ｂより短い。そのため、予想情報開示部２１ｂは、締め切り時刻までＳ１０４の動作とＳ１０６の動作を繰り返して行う。締め切り時刻以降、開示処理は終了される。
【００９６】
＜３．第３実施形態＞
以下、第３実施形態に係る予想情報管理システム１について説明する。第３実施形態に係る予想情報管理システム１は、第２実施形態に係る予想情報管理システム１と同様に第３所定時間以上である場合に予想情報を開示するが、第２実施形態に係る予想情報管理システム１に比べて少ない量の予想情報を開示する。以下、相違点を中心に説明する。
【００９７】
予想情報開示部２１ｂは、残り時間が第１所定条件を満たす場合には、再生時間が第３所定時間以上である場合に、第３予想情報をユーザ端末１０に開示する。第３予想情報の量は第１予想情報の量より少ない。「量」の単位の例としては、ユーザＵが投票できる単位と、サーバ２０が提供するサービスをユーザＵが購入できる単位などが挙げられる。なお、「量」の単位は、予想情報の情報量であってもよい。「量」が予想情報の情報量である場合、「量」の単位の例としては、情報の容量の単位、情報に含まれる文字または数字を数える単位などが挙げられる。
【００９８】
以下において、第３予想情報の例を説明する。
第１予想情報が複数（例えば３つ）の予想情報の集合であり、１セットの予想情報でもあるとする。第３予想情報の量は、１セットの予想情報の量より少ない。この場合、第３予想情報の例としては、１セットの予想情報のうち、いずれかの予想情報を含まない情報（例えば１つまたは２つの予想情報）が挙げられる。即ち、再生時間が第３所定時間以上である場合に、１セットの予想情報のうち一部の情報がユーザ端末１０に開示される。
【００９９】
また、第１予想情報が予想者の各着順予想への投票金額を含むとする。この場合、第３予想情報の例としては、予想者の各着順予想への投票金額を含まない情報が挙げられる。また、第１予想情報がオッズを含むとする。この場合、第３予想情報の例としては、オッズを含まない情報が挙げられる。
【０１００】
このような構成とすることにより、第１所定時間以上という条件を満たせない場合でも少なくとも第３所定時間以上という条件を満たそうとする一方で、より長い再生時間を要する第１所定時間以上という条件を満たそうとする動機も生じる。
【０１０１】
（３−１．予想情報管理システム１の処理の流れ）
図１３を参照し、開示処理の流れを説明する。第３実施形態に係る開示処理のＳ１０１、Ｓ１０２、Ｓ１０３、Ｓ１０４、Ｓ１０５、Ｓ１０６、Ｓ２０１、Ｓ２０２、Ｓ２０３の動作は、第２実施形態に係る開示処理のＳ１０１、Ｓ１０２、Ｓ１０３、Ｓ１０４、Ｓ１０５、Ｓ１０６、Ｓ２０１、Ｓ２０２、Ｓ２０３の動作と同様である。第３実施形態に係る開示処理は、第２実施形態に係る開示処理の動作に加え、Ｓ３０１の動作を行う。以下において、Ｓ３０１に係る動作について詳細に説明する。
【０１０２】
予想情報開示部２１ｂは、再生時間が第３所定時間以上であると判定した場合（Ｓ２０２：ＹＥＳ）、第３予想情報を開示する（Ｓ３０１）。その後、予想情報開示部２１ｂはＳ１０４の動作を行う。
【０１０３】
（３−２．ユースケース）
図９、図１２、図１３、図１４を参照してユースケースを説明する。以下において説明するユースケースを「ユースケース４」と称する。ユースケース４の予想情報管理システム１の動作はユースケース３と同様に、図１２Ａに係る動作であるとする。なお、ユースケース４における残り時間と第３所定時間との関係も、ユースケース３と同様に、図１２Ｂと同様であるとする。
【０１０４】
ユースケース４における第１予想情報の量は、ユースケース１と同様であるとする。例えば、第１予想情報が表示されたタッチパネルディスプレイ１４は図９に示すようになる。他方、第３予想情報が表示されたタッチパネルディスプレイ１４の一例を図１４に示す。所定領域Ｄの下の領域Ｐ５に第３予想情報が表示される。また、領域Ｐ６はユーザＵが投票の額を入力できる領域である。図１４に示すように、第３予想情報の量は、図９に示す第１予想情報の量より少ない。
【０１０５】
＜４．第４実施形態＞
以下、第４実施形態に係る予想情報管理システム１について説明する。第４実施形態に係る予想情報管理システム１は、第１実施形態に係る予想情報管理システム１とは異なり、ユーザＵが条件を満たす場合にも、予想情報を開示する。以下、相違点を中心に説明する。
【０１０６】
第４実施形態に係る予想情報開示部２１ｂの機能は、第１実施形態に係る予想情報開示部２１ｂの機能に加えて、以下の機能を備える。予想情報開示部２１ｂは、再生時間が第４所定時間以上である場合には、予想情報をユーザ端末１０に開示し、再生時間が第４所定時間未満であって、ユーザＵが第２所定条件を満たす場合には、予想情報を当該ユーザＵの使用するユーザ端末１０に開示する。
【０１０７】
第２所定条件の例について説明する。以下の説明において、所定のサービスとは、サーバ２０の管理者が提供するサービス、競技の関係者が提供するサービスなどである。第２所定条件の例としては、所定時間内にユーザ端末１０で再生されている動画に関連付けられた予想情報に基づいた投票の額が所定額以上であること、所定期間内にユーザ端末１０から受け付けた投票の額が所定額以上であること、などが挙げられる。また、第２所定条件は、投票に関する各種パラメータ（投票券の種類の数、累積の投票の回数、累積の投票の額）、ユーザＵに関する各種パラメータなどにより定められた条件であってもよい。
【０１０８】
第２所定条件は、ユーザＵが所定期間内に所定のサービスに支払った金額が所定額以上であることであってもよい。また、第２所定条件は、ユーザＵの属性値が所定の値であることでもよい。属性値の例としては、ユーザＵが所定のサービスを利用した期間、所定期間内のユーザＵの再生時間などが挙げられる。また、第２所定条件は、ユーザＵが所定のサービスを利用し始めてから所定期間内のユーザであることでもよい。
【０１０９】
第４所定時間の例としては、第１所定時間と、第２所定時間と、第３所定時間、サーバ２０の管理者により設定された時間などが挙げられる。また、予想情報開示部２１ｂがユーザ端末に開示する予想情報の例としては、第１予想情報と、第２予想情報と、第３予想情報と、サーバ２０の管理者により設定された予想情報などが挙げられる。
【０１１０】
サーバ２０は、再生時間が第４所定時間以上である場合、ユーザ端末１０にインセンティブ（予想情報）を与える。また、サーバ２０は、再生時間が第４所定時間未満であっても、ユーザＵが第２所定条件を満たす場合には、ユーザ端末１０にインセンティブを与える。ユーザ端末１０を用いるユーザＵは、インセンティブを得るために、第２所定条件を満たすようになる。
【０１１１】
第２所定条件を満たす場合とは、所定期間内にユーザ端末１０で再生されている動画に関連付けられる予想情報に基づいた投票の額が所定額以上である場合である。所定期間の例としては、サーバ２０の管理者により予め設定された期間などが挙げられる。所定額の例としては、サーバ２０の管理者により予め設定された額などが挙げられる。なお、全てのユーザＵ又はユーザ端末１０に対し同じ所定期間又は所定額が設定されてもよい。なお、ユーザＵの属性ごと又はユーザ端末１０の属性ごとに異なる所定期間又は所定額が設定されてもよい。
【０１１２】
以下において、所定期間内にユーザ端末１０に再生されている動画を略して、「再生動画」と称する場合がある。再生動画に関連付けられる予想情報の例としては、再生動画により報知される予想情報、再生動画と予め関連付けられた予想情報、再生動画に表示される予想者に予め関連付けられた予想情報などが挙げられる。
【０１１３】
予想者の例としては、ユーザ端末１０に表示される動画により、ユーザＵに認知される者又は架空のキャラクターなどが挙げられる。なお、再生動画により報知される態様の例としては、再生動画により表示される態様、再生動画の音声により報知される態様などが挙げられる。
【０１１４】
「再生動画に関連付けられる予想情報に基づいた投票」の態様について説明する。
「再生動画に関連付けられる予想情報」を「再生動画により報知される予想情報」であるとする。再生動画により報知される予想情報は、特定の日及び特定の場所で行われる競技の予想を示す予想情報であるとする。特定の日を、２０２１年３月２３日とする。特定の場所は、競輪場Ａであるとする。即ち、再生動画に関連付けられる予想情報は、２０２１年３月２３日、競輪場Ａで行われる競技の予想を示す予想情報である。
【０１１５】
この場合、「再生動画に関連付けられる予想情報に基づいた投票」は、２０２１年３月２３日、競輪場Ａで行われる競技の予想情報に関連付けられた投票である。例えば、「再生動画に関連付けられる予想情報に基づいた投票」は、２０２１年３月２３日１０時に競輪場Ａで行われる競技の予想情報に関連付けられた投票である。「再生動画に関連付けられる予想情報に基づいた投票」は、２０２１年３月２３日１３時に競輪場Ａで行われる競技の予想情報に関連付けられた投票であってもよい。
【０１１６】
「再生動画に関連付けられる予想情報に基づいた投票」の別の態様を説明する。
「再生動画に関連付けられる予想情報」を「再生動画により報知される予想情報」であるとする。再生動画により報知される予想情報は、特定の日時及び特定の場所で行われる競技の予想を示す予想情報であるとする。特定の日時を、２０２１年３月２３日１１時とする。特定の場所は、競輪場Ｂであるとする。即ち、再生動画に関連付けられる予想情報は、２０２１年３月２３日１１時、競輪場Ｂで行われる競技の予想を示す予想情報である。この場合、「再生動画に関連付けられる予想情報に基づいた投票」は、２０２１年３月２３日１１時、競輪場Ｂで行われる競技の予想情報に関連付けられた投票である。
【０１１７】
サーバ２０は、再生時間が第４所定時間以上である場合、ユーザ端末１０にインセンティブ（予想情報）を与える。また、サーバ２０は、再生時間が第４所定時間未満であっても、動画に関連付けられた投票の額が所定額以上である場合には、ユーザ端末１０にインセンティブを与える。ユーザ端末１０を用いるユーザＵは、インセンティブを得るために、動画に関連付けられた投票を所定額以上するようになる。
【０１１８】
なお、第２所定条件を満たす場合とは、所定期間内にユーザ端末１０から受け付けた投票の額が所定額以上である場合であってもよい。
【０１１９】
この場合、サーバ２０は、再生時間が第４所定時間以上である場合、ユーザ端末１０にインセンティブ（予想情報）を与える。また、サーバ２０は、再生時間が第４所定時間未満であっても、投票の額が所定額以上である場合には、ユーザ端末１０にインセンティブを与える。ユーザ端末１０を用いるユーザＵは、インセンティブを得るために、所定額以上投票するようになる。
【０１２０】
（４−１．予想情報管理システム１の処理の流れ）
図１５を参照し、開示処理の流れを説明する。開示処理が開始されると、予想情報開示部２１ｂは再生時間が第４所定時間以上であるか否かを判定する（Ｓ４０１）。再生時間が第４所定時間以上であると判定された場合（Ｓ４１０：ＹＥＳ）、予想情報開示部２１ｂは予想情報をユーザ端末１０に開示する（Ｓ４０２）。
【０１２１】
他方、再生時間が第４所定時間以上でないと判定された場合（Ｓ４１０：ＮＯ）、予想情報開示部２１ｂは、所定期間内に、再生動画に関連付けられた予想情報に基づいた投票額が所定額以上であるか否かを判定する（Ｓ４０３）。まず、以下において入力情報について説明し、その後、Ｓ４０３における予想情報開示部２１ｂの判定について説明する。
【０１２２】
ユーザＵがユーザ端末１０に投票の額を入力したとする。ユーザ端末１０は、入力を受け付けた日時と投票の額と予想情報と当該予想情報を予想した者とを関連付けた情報（以下において「入力情報」と称する場合がある）をサーバ２０に送信する。受付部２１ｃは入力情報を受け付ける。受付部２１ｃは受け付けた入力情報を記憶部２２に記録する。記憶部２２は入力情報を記憶する。
【０１２３】
予想情報開示部２１ｂは、Ｓ４０３に係る所定期間を特定する。その後、予想情報開示部２１ｂは、記憶部２２が記憶している入力情報のうち、特定した所定期間内である入力情報を特定する。予想情報開示部２１ｂは、特定した入力情報における予想情報を、再生動画に関連付けられた予想情報に照らし合わせる。特定した入力情報のうち、再生動画に関連付けられた予想情報と同様な予想情報がなければ、予想情報開示部２１ｂは、再生動画に関連付けられた予想情報に基づいた投票額が所定額以上でないと判定する（Ｓ４０３：ＮＯ）。
【０１２４】
他方、特定した入力情報のうち、再生動画に関連付けられた予想情報と同様な予想情報があれば、予想情報開示部２１ｂは、特定した入力情報のうち、再生動画に関連付けられた予想情報と同様な予想情報に関連付けられた投票の額が、所定額以上であるか否かを判定する。所定額以上でない場合、予想情報開示部２１ｂは、再生動画に関連付けられた予想情報に基づいた投票額が所定額以上でないと判定する（Ｓ４０３：ＮＯ）。他方、所定額以上である場合、予想情報開示部２１ｂは、再生動画に関連付けられた予想情報に基づいた投票額が所定額以上であると判定する（Ｓ４０３：ＹＥＳ）。
【０１２５】
再生動画に関連付けられた予想情報に基づいた投票額が所定額以上であると判定された場合（Ｓ４０３：ＹＥＳ）、予想情報開示部２１ｂは予想情報を開示する（Ｓ４０２）。他方、再生動画に関連付けられた予想情報に基づいた投票額が所定額以上でないと判定された場合（Ｓ４０３：ＮＯ）、予想情報開示部２１ｂは、ユーザ端末１０において動画の再生が終了したか否かを判定する。また、予想情報開示部２１ｂは、現時刻が投票の受け付け締め切り時刻以降であるか否かを判定する（Ｓ４０４）。
【０１２６】
Ｓ４０４において、予想情報開示部２１ｂが動画の再生が終了したと判定した場合、または予想情報開示部２１ｂが、現時刻が締め切り時刻以降である判定した場合（Ｓ４０４：ＹＥＳ）、予想情報を開示する処理は終了する。
【０１２７】
他方、Ｓ４０４において、予想情報開示部２１ｂが動画の再生が終了していないと判定し、かつ、予想情報開示部２１ｂが、現時刻が締め切り時刻以降でないと判定した場合（Ｓ４０４：ＮＯ）、予想情報開示部２１ｂは、再生時間が第４所定時間以上であるか否かを再度判定する（Ｓ４０１）。
【０１２８】
＜５．第５実施形態＞
以下、第５実施形態に係る予想情報管理システム１について説明する。第５の実施形態に係る予想情報管理システム１は、所定の競技ごとに関連付けられた予想情報を開示する点などで、第１実施形態に係る予想情報管理システム１と異なる。以下、相違点を中心に説明する。
【０１２９】
予想情報開示部２１ｂは、再生時間のうち所定の競技に対応する再生時間に応じて、ユーザ端末１０に所定の競技ごとに関連付けられた予想情報を開示する。所定の競技はサーバ２０の管理者により設定された競技である。
【０１３０】
所定の競技の例としては、行われた時期により特定される競技、行われた場所により特定される競技、参加した者又は物により特定される競技、行われる時期及び場所により特定される競技などが挙げられる。行われる時期の例としては、行われる日、行われる日時などが挙げられる。
【０１３１】
「所定の競技に対応する再生時間」の例としては、所定の競技の予想が示された動画の再生時間、所定の競技の予想が示されたセッションの再生時間、所定の競技の予想が示された番組の再生時間、所定の競技の予想が示されたチャンネルの再生時間などが挙げられる。セッションの例としては、一定の時間ごとに区切られた動画などが挙げられる。番組の例としては、表示される予想者又は予想される競技の内容により区切られた動画などが挙げられる。チャンネルの例としては、表示するテーマや内容により区切られた動画などが挙げられる。
【０１３２】
「所定の競技ごとに関連付けられた予想情報」の態様について説明する。所定の競技が、行われる日で特定される競技であるとする。この場合、所定の競技ごとに関連付けられた予想情報は、同日に行われる競技の予想を示す予想情報である。他方、所定の競技が、行われる場所により特定される競技であるとする。この場合、所定の競技ごとに関連付けられた予想情報は、同場所に行われる競技の予想を示す予想情報である。
【０１３３】
サーバ２０は、所定の競技に対応する再生時間に応じて、ユーザ端末１０にインセンティブ（競技ごとに関連付けられた予想情報）を与える。インセンティブ（競技ごとに関連付けられた予想情報）は、ユーザ端末を用いるユーザが必要とする予想情報である可能性が高い。ユーザ端末１０を用いるユーザＵは、インセンティブを得るために、競技に対応する動画をより長時間視聴することになる。
【０１３４】
また、予想情報開示部２１ｂは、予想情報に予め定められた優先度に基づいて、予想情報をユーザ端末１０に開示する。優先度は、サーバ２０の管理者により予め予想情報に関連付けて定められる。例えば、優先度が数字である場合、予想情報開示部２１ｂは予想情報に関連付けられた優先度が降順又は昇順となるように、予想情報をユーザ端末１０に開示する。また、優先度は文字または文字と数字の組み合わせであっても良い。なお、優先度は、ユーザＵによる賭け式指定、オッズ順、予想者の投票額順、予想者により指定された特定の予想情報により設定されてもよい。
【０１３５】
サーバ２０は優先度に基づいてインセンティブ（予想情報）を与える。サーバ２０は、優先度により、ユーザの動画視聴に対する動機付けの程度を調整できる。
【０１３６】
また、予想情報開示部２１ｂは、未開示情報の量に応じて設定される対価の支払いを受け付けた場合に、未開示情報をユーザ端末１０に開示する。上記未開示情報とは、ユーザ端末１０に開示されていない予想情報である。未開示情報の量に応じて設定される対価の例としては、未開示情報の量にその額が比例するように設定される対価などが挙げられる。
【０１３７】
サーバ２０は、未開示情報の量に応じて設定される対価の支払いを受け付けた場合に、ユーザ端末１０に未開示情報を開示する。これにより、ユーザ端末１０を用いるユーザＵは、未開示情報の量に応じて適切化された対価の支払いを行うようになる。
【０１３８】
表示制御部２１ｄは、ユーザ端末１０のタッチパネルディスプレイ１４の表示を制御する。表示制御部２１ｄは、競技に関連付けられた予想情報のうち、ユーザ端末１０に開示された予想情報の量と、ユーザ端末１０に開示されていない予想情報の量とを、ユーザに認識可能な態様でユーザ端末１０に表示させる。
【０１３９】
図１７は、表示制御部２１ｄが、ユーザ端末１０に開示された予想情報の量と、ユーザ端末１０に開示されていない予想情報の量を、ユーザ端末１０に表示させた一例である。図１８の領域Ｐ７には、「開示済７/１０、残り３」と表示されている。ここで、「開示済７」は、ユーザ端末１０に開示された予想情報の量を示す。また、「残り３」は、ユーザ端末１０に開示されていない予想情報の量を示す。また、「/１０」は、ユーザ端末１０に開示された予想情報の量とユーザ端末１０に開示されていない予想情報の量とを加算した量を示す。
【０１４０】
サーバ２０は、開示された予想情報の量と開示されていない予想情報の量を、ユーザ端末１０に表示させる。これにより、ユーザ端末１０を用いるユーザＵは、開示された予想情報の量と開示されていない予想情報の量を認識できるため、開示されていない予想情報を得ようという動機付けをユーザに与えることができる。
【０１４１】
＜６．他の実施形態＞
以上、本発明における実施形態およびその変形例について説明したが、本開示の適用は上述の内容に限定されるものではない。以下、他の実施形態について説明する。以下に説明する実施形態は、上述の第１実施形態から第５実施形態の何れかの機能を替えてまたは加えて実現されてもよい。
【０１４２】
再生時間をカウントする開始の時点を、特定の日、特定の日時、所定の競技が開始される時点にしてもよい。例えば、毎日の午前０時に、再生時間をカウントする開始の時点が設定されてもよい。例えば、所定の競技が開始される度に、再生時間をカウントする開始の時点が設定されてもよい。
【０１４３】
なお、未開示情報が存在する場合、表示制御部２１ｄは、未開示情報を開示する対価の支払いの条件を、ユーザＵが認識できるように、ユーザ端末１０に表示させてもよい。例えば、未開示情報を開示する対価が「５００円」であるとする。この場合、表示制御部２１ｄは、タッチパネルディスプレイ１４に「５００円で開示します」のメッセージを表示させる。
【０１４４】
なお、未開示情報が存在する場合、表示制御部２１ｄは、未開示情報を開示する再生時間に係る条件を、ユーザＵが認識できるように、ユーザ端末１０に表示させてもよい。例えば、未開示情報を開示する再生時間に係る条件が、「あと５分視聴すること」であるとする。この場合、表示制御部２１ｄは、タッチパネルディスプレイ１４に「あと５分で開示します」のメッセージを表示する。
【０１４５】
本発明は、上述のプログラムを格納する、コンピュータ読み取り可能な非一時的な記録媒体として実現することもできる。
【０１４６】
＜７．実施形態の特徴＞
以下、本発明の実施形態の特徴をまとめる。
【０１４７】
本発明の一態様では、動画送信部２１ａと、予想情報開示部２１ｂを備え、動画送信部２１ａは、競技に関する動画を、動画を再生するユーザ端末１０に送信し、予想情報開示部２１ｂは、ユーザ端末１０において動画が再生された再生時間に応じて、動画に関連付けられた競技の結果に対する予想についての情報を含む予想情報をユーザ端末１０に開示する、情報処理装置が提供される。
【０１４８】
このような構成により、情報処理装置は、ユーザ端末１０の動画の再生時間に応じて、ユーザ端末１０にインセンティブ（予想情報）を与える。ユーザ端末１０を用いるユーザＵは、インセンティブを得るために、動画をより長時間視聴することになる。
【０１４９】
予想情報開示部２１ｂは、再生時間が第１所定時間以上である場合に、予想情報として第１予想情報をユーザ端末１０に開示してもよい。
【０１５０】
このような構成により、情報処理装置は、ユーザ端末１０の動画の再生時間が第１所定時間以上である場合、ユーザ端末１０にインセンティブ（第１予想情報）を与える。ユーザ端末１０を用いるユーザＵは、インセンティブを得るために、動画を第１所定時間以上視聴することになる。
【０１５１】
予想情報開示部２１ｂは、再生時間が第１所定時間より長い第２所定時間以上である場合に、予想情報として第１予想情報に加えて第２予想情報をユーザ端末１０に開示してもよい。
【０１５２】
このような構成により、情報処理装置は、ユーザ端末１０の動画の再生時間が第２所定時間以上である場合、ユーザ端末１０に更なるインセンティブ（第２予想情報）を与える。ユーザ端末１０を用いるユーザＵは、第１所定時間以上視聴した後、更なるインセンティブを得るために、動画を第２所定時間以上視聴することになる。
【０１５３】
情報処理装置は、受付部２１ｃをさらに備え、受付部２１ｃは、ユーザ端末１０から競技に対する投票を受け付け、予想情報開示部２１ｂは、投票の受け付け締め切り時刻までの残り時間が第１所定条件を満たす場合には、再生時間が第１所定時間よりも短い第３所定時間以上である場合に、予想情報として第１予想情報をユーザ端末１０に開示してもよい。
【０１５４】
このような構成により、情報処理装置は、ユーザ端末１０の動画の再生時間が第１所定時間より短い第３所定時間以上である場合、ユーザ端末１０にインセンティブ（第１予想情報）を与える。ユーザ端末１０を用いるユーザＵは、上記残り時間が第１所定条件を満たす場合には、動画を第１所定時間以上視聴しなくても、動画を第３所定時間視聴することにより、第１予想情報を得ることができる。ユーザ端末１０を用いるユーザＵは、インセンティブを得るために、動画を第３所定時間以上視聴することになる。
【０１５５】
情報処理装置は、受付部２１ｃをさらに備え、受付部２１ｃは、ユーザ端末１０から競技に対する投票を受け付け、予想情報開示部２１ｂは、投票の受け付け締め切り時刻までの残り時間が第１所定条件を満たす場合には、再生時間が第１所定時間よりも短い第３所定時間以上である場合に、予想情報として第３予想情報をユーザ端末１０に開示し、第３予想情報の量は、第１予想情報の量より少なくてもよい。
【０１５６】
このような構成により、第１所定時間以上という条件を満たせない場合でも少なくとも第３所定時間以上という条件を満たそうとする一方で、より長い再生時間を要する第１所定時間以上という条件を満たそうとする動機も生じる。
【０１５７】
予想情報開示部２１ｂは、再生時間が第４所定時間以上である場合には、予想情報をユーザ端末１０に開示し、再生時間が第４所定時間未満であって、ユーザＵが第２所定条件を満たす場合には、予想情報を当該ユーザＵの使用するユーザ端末１０に開示してもよい。
【０１５８】
このような構成により、情報処理装置は、ユーザ端末１０の動画の再生時間が第４所定時間以上である場合、ユーザ端末１０にインセンティブ（予想情報）を与える。また、情報処理装置は、ユーザ端末１０の動画の再生時間が第４所定時間未満であっても、ユーザＵが第２所定条件を満たす場合には、ユーザ端末１０にインセンティブを与える。ユーザ端末１０を用いるユーザＵは、インセンティブを得るために、第２所定条件を満たすようになる。
【０１５９】
情報処理装置は、受付部２１ｃをさらに備え、受付部２１ｃは、ユーザ端末１０から競技に対する投票を受け付け、第２所定条件を満たす場合とは、所定期間内にユーザ端末１０から受け付けた投票の額が所定額以上である場合であってもよい。
【０１６０】
このような構成により、情報処理装置は、ユーザ端末１０の動画の再生時間が第４所定時間以上である場合、ユーザ端末１０にインセンティブ（予想情報）を与える。また、情報処理装置は、ユーザ端末１０の動画の再生時間が第４所定時間未満であっても、投票の額が所定額以上である場合には、ユーザ端末１０にインセンティブを与える。ユーザ端末１０を用いるユーザＵは、インセンティブを得るために、所定額以上投票するようになる。
【０１６１】
第２所定条件を満たす場合とは、所定期間内にユーザ端末１０で再生されている動画に関連付けられる予想情報に基づいた投票の額が所定額以上である場合であってもよい。
【０１６２】
このような構成により、情報処理装置は、ユーザ端末１０の動画の再生時間が第４所定時間以上である場合、ユーザ端末１０にインセンティブ（予想情報）を与える。また、情報処理装置は、ユーザ端末１０の動画の再生時間が第４所定時間未満であっても、動画に関連付けられた投票の額が所定額以上である場合には、ユーザ端末１０にインセンティブを与える。ユーザ端末１０を用いるユーザＵは、インセンティブを得るために、動画に関連付けられた投票を所定額以上するようになる。
【０１６３】
予想情報開示部２１ｂは、動画の再生時間のうち所定の競技に対応する再生時間に応じて、ユーザ端末１０に所定の競技ごとに関連付けられた予想情報を開示してもよい。
【０１６４】
このような構成により、情報処理装置は、所定の競技に対応する再生時間に応じて、ユーザ端末１０にインセンティブ（競技ごとに関連付けられた予想情報）を与える。インセンティブは、ユーザ端末１０を用いるユーザＵが必要とする予想情報である可能性が高い。そのため、ユーザ端末１０を用いるユーザＵは、インセンティブを得るために、競技に対応する動画をより長時間視聴することになる。
【０１６５】
予想情報開示部２１ｂは、予想情報に予め定められた優先度に基づいて、予想情報をユーザ端末１０に開示してもよい。
【０１６６】
このような構成により、情報処理装置は、優先度に基づいてインセンティブ（予想情報）を与える。情報処理装置は、優先度により、ユーザＵの動画視聴に対する動機付けの程度を調整できる。
【０１６７】
予想情報開示部２１ｂは、ユーザ端末１０に開示されていない予想情報である未開示情報の量に応じて設定される対価の支払いを受け付けた場合に、未開示情報をユーザ端末１０に開示してもよい。
【０１６８】
このような構成により、情報処理装置は、未開示情報の量に応じて設定される対価の支払いを受け付けた場合に、ユーザ端末１０に未開示情報を開示する。これにより、ユーザ端末１０を用いるユーザＵは、未開示情報の量に応じて適切化された対価の支払いを行うようになる。
【０１６９】
情報処理装置は、表示制御部２１ｄをさらに備え、表示制御部２１ｄは、競技に関連付けられた予想情報のうち、ユーザ端末１０に開示された予想情報の量と、ユーザ端末１０に開示されていない予想情報の量とを、ユーザＵに認識可能な態様でユーザ端末１０に表示させてもよい。
【０１７０】
このような構成により、情報処理装置は、開示された予想情報の量と開示されていない予想情報の量を、ユーザ端末１０に表示させる。これにより、ユーザ端末１０を用いるユーザＵは、開示された予想情報の量と開示されていない予想情報の量を認識できるため、開示されていない予想情報を得ようという動機付けをユーザＵに与えることができる。
【０１７１】
本発明の他の態様では、動画送信工程と、予想情報開示工程を有する情報処理方法であって、動画送信工程では、競技に関する動画を、動画を再生するユーザ端末１０にコンピュータが送信し、予想情報開示工程では、ユーザ端末１０において動画が再生された再生時間に応じて、動画に関連付けられた競技の結果に対する予想についての情報を含む予想情報をユーザ端末１０にコンピュータが開示する、情報処理方法が提供される。
【０１７２】
本発明の他の態様では、動画送信部２１ａと、予想情報開示部２１ｂとしてコンピュータを機能させるための制御プログラムであり、動画送信部２１ａは、競技に関する動画を、動画を再生するユーザ端末１０に送信し、予想情報開示部２１ｂは、ユーザ端末１０において動画が再生された再生時間に応じて、動画に関連付けられた競技の結果に対する予想についての情報を含む予想情報をユーザ端末１０に開示する、制御プログラムが提供される。
【０１７３】
以上、本発明に係る種々の実施形態を説明したが、これらは例として提示したものであり、発明の範囲を限定することは意図していない。当該新規な実施形態は、その他の様々な形態で実施されることが可能であり、発明の要旨を逸脱しない範囲で、種々の省略、置き換え、変更を行うことができる。当該実施形態やその変形は、発明の範囲や要旨に含まれると共に、特許請求の範囲に記載された発明とその均等の範囲に含まれる。
【符号の説明】
【０１７４】
１：予想情報管理システム、５：通信回線、１０：ユーザ端末、１１：制御部、１２：記憶部、１３：通信部、１４：タッチパネルディスプレイ、１５：スピーカー、１６：マイク、１７：カメラ、１８：操作ボタン、１９：システムバス、２０：サーバ、２１：制御部、２１ａ：動画送信部、２１ｂ：予想情報開示部、２１ｃ：受付部、２１ｄ：表示制御部、２２：記憶部、２４：通信部、２５：操作入力部、２６：モニタ、２７：システムバス、Ｎ：競争体、Ｓ：手法、Ｔ：手法、ｔ：時刻、ｈ：時間、ｈ１ｂ：第１所定時間、ｈ２ｂ：第２所定時間、ｈ３ｂ：第３所定時間、Ｐ：領域、Ｄ：所定領域
【要約】
【課題】ユーザに長時間の動画視聴を行わせる。
【解決手段】動画送信部と、予想情報開示部を備え、動画送信部は、競技に関する動画を、動画を再生するユーザ端末に送信し、予想情報開示部は、ユーザ端末において動画が再生された再生時間に応じて、動画に関連付けられた競技の結果に対する予想についての情報を含む予想情報をユーザ端末に開示する、情報処理装置が提供される。
【選択図】図１【図１】
0006978716.tif 000002
【図２】
0006978716.tif 000003
【図３】
0006978716.tif 000004
【図４】
0006978716.tif 000005
【図５】
0006978716.tif 000006
【図６】
0006978716.tif 000007
【図７】
0006978716.tif 000008
【図８】
0006978716.tif 000009
【図９】
0006978716.tif 000010
【図１０】
0006978716.tif 000011
【図１１】
0006978716.tif 000012
【図１２】
0006978716.tif 000013
【図１３】
0006978716.tif 000014
【図１４】
0006978716.tif 000015
【図１５】
0006978716.tif 000016
【図１６】
0006978716.tif 000017
【図１７】
0006978716.tif 000018